(57)【要約】【課題】受信される用紙を、人手を煩わすことなく通信毎に綴じることを可能とし、綴じた用紙を、簡単に裁断処理または廃品処理可能にするファクシミリ装置を提供する。【解決手段】バインド装置６は、複数の用紙Ｐを、綴じ具群から部分的に切断可能な綴じ具を用いて綴じる第１バインダ１５および複数の用紙Ｐ自体を部分的に加工することで、前記複数の用紙Ｐを綴じる第２バインダ１６を備え、綴じた用紙Ｐを、裁断機を用いて裁断処理するかまたは廃品処理する場合には、前記公報に記載の従来の技術のように、針金状のステープルを用紙から取り外すことなく、裁断処理または廃品処理する。【選択図】      図１
2004193800.tif 000002
【特許請求の範囲】
【請求項１】
通信回線に接続されるファクシミリ装置であって、
記録シートに画像を形成する画像形成手段と、
画像形成手段によって画像が形成される複数の記録シートを綴じるシート綴じ手段とを有し、
前記シート綴じ手段は、綴じ具群から部分的に切断可能な綴じ具を用いて、複数の記録シートを綴じる第１綴じ機構および、複数の記録シート自体を部分的に加工することで、前記記録シートを綴じる第２綴じ機構のうちの、少なくともいずれか１つを備えることを特徴とするファクシミリ装置。
【請求項２】
前記綴じ具は紙製の帯状部材であり、第１綴じ機構は、前記帯状部材が複数の記録シートに貫通しかつ巻き付けられて、前記複数の記録シートを結縛可能に構成されることを特徴とする請求項１に記載のファクシミリ装置。
【請求項３】
第２綴じ機構は、複数の記録シートを、刃具によって部分的に切り込み記録シートの厚み方向一方へ変形することで、結縛可能に構成されることを特徴とする請求項１に記載のファクシミリ装置。
【請求項４】
前記シート綴じ手段は第１および第２綴じ機構を備え、これら第１および第２綴じ機構のうちの少なくともいずれか１つを選択的に用いるための選択手段をさらに備えることを特徴とする請求項１に記載のファクシミリ装置。
【請求項５】
通信回線を介して受信した情報の発信者を識別する識別手段をさらに備え、
前記選択手段は、識別手段による識別結果に基づいて、発信者毎に対応する第１および第２綴じ機構のうちの少なくともいずれか１つを選択することを特徴とする請求項４に記載のファクシミリ装置。
【請求項６】
通信回線を介して受信した情報の発信者を識別する識別手段をさらに備え、
前記選択手段は、識別手段による識別結果に基づいて、発信者毎に異なる記録シートの綴じ位置を選択することを特徴とする請求項１〜５のいずれかに記載のファクシミリ装置。
【請求項７】
シート綴じ手段は、通信回線から受ける各情報の通信終了信号および、予め設定される記録シートの最大綴じ枚数に達する情報量であって通信回線を介して受信した情報量の少なくともいずれか１つに基づいて動作されることを特徴とする請求項１に記載のファクシミリ装置。
【請求項８】
前記最大綴じ枚数を入力設定する入力手段をさらに備え、入力手段は、操作者によって設定可能に構成されることを特徴とする請求項７に記載のファクシミリ装置。
【発明の詳細な説明】
【０００１】
【発明の属する技術分野】
本発明は、通信回線に接続されるファクシミリ装置において、用紙を綴じる機能を有するファクシミリ装置に関する。
【０００２】
【従来の技術】
ファクシミリ装置は、簡便に利用できることから、業務用から家庭用まで広範囲にわたって活用されている。従来のファクシミリ装置においては、受信結果が記録媒体に順次記録される。記録された記録媒体は、たとえば記録紙受けとしてのスタッカーに積載される。特に前記業務用のファクシミリ装置においては、通信内容が、記録媒体である複数の用紙で順次受信されるので、複数の用紙を発信者別に分別および整理したうえで、分配する必要がある。
【０００３】
ファクシミリ装置において、用紙を、針金状のステープルを用いて綴じる技術も提案されている（たとえば特許文献１および２）。特許文献１に記載のファクシミリ装置においては、積層された用紙を、手動で綴じる紙綴じ手段が記載されている。特許文献２に記載のファクシミリ装置においては、受信終了信号を用いて、紙綴じ装置を付勢することによって、通信文の一通毎に複数の出力紙つまり用紙が自動的に綴じられる。
【０００４】
【特許文献１】
特開平２−２４９８５９号公報（第２頁、第３図）
【特許文献２】
特開平２−５７３９２号公報（第２頁、第１図）
【０００５】
【発明が解決しようとする課題】
前記従来の業務用のファクシミリ装置では、通信内容が複数の用紙で順次受信される。それ故、無人の間に多量に用紙が受信されると、複数の用紙をたとえば発信者別に分別および整理したうえで、分配する必要がある。このような複数の用紙の分別、整理および分配作業は、人手を要するうえ手間がかかる。
【０００６】
特許文献１に記載のファクシミリ装置においては、単に、積層された用紙を手動で綴じる紙綴じ手段いわゆるホッチキス（登録商標）が開示されているだけである。前記紙綴じ手段を用いて綴じられた書類などが不要になった際、シュレッダなどの裁断機で書類を裁断処理する。前記書類の裁断処理前に、裁断機を保護する観点から、針金状のステープルを書類から取り外す必要がある。書類を裁断処理することなく廃品処理する場合でも、環境保護および古紙再生の観点から、針金状のステープルを書類から取り外す必要がある。特許文献２に記載のファクシミリ装置においても、特許文献１のものと同様の問題がある。
【０００７】
このように特許文献１および２に記載のものでは、綴じた用紙を、裁断機を用いて裁断処理するかまたは廃品処理する場合に、必然的に針金状のステープルを書類から取り外す必要がある。その際に人手を煩わす結果を生じていた。
【０００８】
したがって本発明の目的は、受信される用紙を、人手を煩わすことなく通信毎に綴じることを可能とし、綴じた用紙を、簡単に裁断処理または廃品処理可能にするファクシミリ装置を提供することである。
【０００９】
【課題を解決するための手段】
本発明は、通信回線に接続されるファクシミリ装置であって、
記録シートに画像を形成する画像形成手段と、
画像形成手段によって画像が形成される複数の記録シートを綴じるシート綴じ手段とを有し、
前記シート綴じ手段は、綴じ具群から部分的に切断可能な綴じ具を用いて、複数の記録シートを綴じる第１綴じ機構および、複数の記録シート自体を部分的に加工することで、前記記録シートを綴じる第２綴じ機構のうちの、少なくともいずれか１つを備えることを特徴とするファクシミリ装置である。
【００１０】
本発明に従えば、通信回線からの信号に基づいて、記録シートには画像形成手段によって画像が形成される。画像が形成された記録シートは、綴じ具群から部分的に裁断可能な綴じ具を用いて複数の記録シートを綴じる第１綴じ機構および、複数の記録シート自体を部分的に加工することで、前記複数の記録シートを綴じる第２綴じ機構のうちの、いずれか１つでもって綴じることができる。したがって受信される記録シートを、人手を煩わすことなく通信毎に綴じることができる。しかも綴じた記録シートを、シュレッダなどの裁断機を用いて裁断処理するか、または廃品処理する場合には、前記公報に記載の従来の技術のように、針金状のステープルを記録シートから取り外すことなく、裁断処理または廃品処理することができる。つまり、針金状のステープルを記録シートから取り外す手間が不要となる。したがって綴じた記録シートを、簡単に裁断処理または廃品処理することができる。
【００１１】
また本発明は、前記綴じ具は紙製の帯状部材であり、第１綴じ機構は、前記帯状部材が複数の記録シートに貫通しかつ巻き付けられて、前記複数の記録シートを結縛可能に構成されることを特徴とする。
【００１２】
本発明に従えば、複数の記録シートは紙製の帯状部材であり、前記帯状部材が複数の記録シートに貫通しかつ巻き付けられて、前記複数の記録シートは結縛される。針金状のステープルではなく、特に、紙製の帯状部材で記録シートが結縛されるので、裁断機を用いて前記裁断機を破損することなく、綴じた記録シートを確実に裁断処理することができる。しかも第１綴じ機構で綴じた記録シートを、簡単に廃品処理することができる。
【００１３】
また本発明は、第２綴じ機構は、複数の記録シートを、刃具によって部分的に切り込み記録シートの厚み方向一方へ変形することで、結縛可能に構成されることを特徴とする。
【００１４】
本発明に従えば、複数の記録シートは、刃具によって部分的に切り込まれて記録シートの厚み方向一方へ変形されて結縛される。針金状のステープルを用いることなく、上述したように複数の記録シートが結縛されるので、裁断機を用いて前記裁断機を破損することなく、綴じた記録シートを確実に裁断処理することができる。しかも第２綴じ機構で綴じた記録シートを簡単に廃品処理することができる。
【００１５】
また本発明は、前記シート綴じ手段は第１および第２綴じ機構を備え、これら第１および第２綴じ機構のうちの少なくともいずれか１つを選択的に用いるための選択手段をさらに備えることを特徴とする。
【００１６】
本発明に従えば、選択手段によって、第１および第２綴じ機構のうちの少なくともいずれか１つを選択的に用いることができる。したがって選択手段によって、最適な綴じ機構を選択することが可能となる。
【００１７】
また本発明は、通信回線を介して受信した情報の発信者を識別する識別手段をさらに備え、
前記選択手段は、識別手段による識別結果に基づいて、発信者毎に対応する第１および第２綴じ機構のうちの少なくともいずれか１つを選択することを特徴とする。
【００１８】
本発明に従えば、発信者を識別する識別手段による識別結果に基づいて、発信者毎に対応する第１および第２綴じ機構のうちの少なくともいずれか１つが選択される。これによって、綴じた記録シートの綴じ部分によって、発信者を特定することが可能となる。それ故、綴じた記録シートを容易に分配することができる。したがって記録シートの分別、整理および分配作業を簡単化することができる。
【００１９】
また本発明は、通信回線を介して受信した情報の発信者を識別する識別手段をさらに備え、
前記選択手段は、識別手段による識別結果に基づいて、発信者毎に異なる記録シートの綴じ位置を選択することを特徴とする。
【００２０】
本発明に従えば、発信者を識別する識別手段による識別結果に基づいて、発信者毎に異なる記録シートの綴じ位置が選択される。綴じた記録シートは、その綴じ位置によって発信者を特定することができる。それ故、綴じた記録シートを容易に分配することができる。したがって記録シートの分配、整理および分配作業を簡単化することができる。
【００２１】
また本発明は、シート綴じ手段は、通信回線から受ける各情報の通信終了信号および、予め設定される記録シートの最大綴じ枚数に達する情報量であって通信回線を介して受信した情報量の少なくともいずれか１つに基づいて動作されることを特徴とする。
【００２２】
本発明に従えば、シート綴じ手段は、通信回線からの各情報の通信終了信号を受けて動作される。前記通信終了信号を受けない場合においても、通信回線を介して受信した情報量が予め設定される最大綴じ枚数に達すると、前記シート綴じ手段は動作される。換言すれば、シート綴じ手段が前記通信終了信号を受ける前に、上述したように最大綴じ枚数に達すると、シート綴じ手段を動作させることができる。したがってシート綴じ手段を確実に動作させることができる。
【００２３】
また本発明は、前記最大綴じ枚数を入力設定する入力手段をさらに備え、入力手段は、操作者によって設定可能に構成されることを特徴とする。
【００２４】
本発明に従えば、記録シートの最大綴じ枚数を入力設定する入力手段は、操作者によって設定される。操作者は、たとえば記録シートの秤量などに応じて最大綴じ枚数を設定することができる。
【００２５】
【発明の実施の形態】
図１は、本発明の実施形態に係るファクシミリ装置１を、搬送ローラ２の軸線方向に垂直な仮想平面で切断して見た要部の断面図である。ファクシミリ装置１は、ファクシミリ本体３と、給紙部４と、印刷機能部５と、バインド装置６と、排出部である受信紙スタッカー７とを有する。給紙部４、印刷機能部５、バインド装置６および受信紙スタッカー７は、ファクシミリ本体３に設けられ、ファクシミリ本体３が載置された状態で、このファクシミリ装置１は使用される。
【００２６】
給紙部４は、主に、給紙トレイ８と、ピックアップローラ９と、図示外のローラ駆動源とを備える。給紙トレイ８は、受信内容を印刷するための複数の記録シートとしての複数の用紙Ｐを保持可能に設けられる。すなわち給紙トレイ８は、ファクシミリ本体３の載置面に対し、用紙保持面を含む仮想平面がたとえば約４５度の傾斜角度となるように取り付けられている。以後、前記載置面に垂直な方向をＺ方向と呼ぶ場合がある。前記傾斜角度は、用紙搬送方向に向かうに従ってＺ方向一方に向かう、いわゆる搬送方向下り傾斜状となっている。給紙トレイ８において、その用紙搬送方向上流側半部は、ファクシミリ本体３から外部に露出された状態で配置され、この露出された部分から、用紙Ｐを供給可能になっている。
【００２７】
前記ピックアップローラ９は、給紙トレイ８に保持される用紙Ｐであって、ピックアップローラ９に臨む一枚の用紙Ｐを印刷機能部５に搬送する機能を有する。すなわち、ピックアップローラ９は、給紙トレイ８の用紙搬送方向下流側端部近傍に配置される。またピックアップローラ９は、ファクシミリ本体３内で、用紙搬送方向およびＺ方向に直交する軸線方向回りに回動可能に支持される。したがって受信内容を印刷するための複数の用紙Ｐは、給紙トレイ８に保持された状態で、印刷出力の都度、積層された複数の用紙Ｐのうちピックアップローラ９に臨む一枚の用紙Ｐが、ピックアップローラ９およびローラ駆動源によって、用紙搬送方向下流側の印刷機能部５に搬送される。
【００２８】
後述する印刷装置１０（図４参照）のうち印刷機能部５は、搬送ローラ２と、印字ヘッド１１およびプラテン１２と、排出ローラ１３とを有する。印刷機能部５における用紙搬送方向上流側には、搬送ローラ２が、ピックアップローラ９の軸線方向と平行な軸線方向回りに回動可能に支持される。一枚の用紙Ｐが、ピックアップローラ９によって用紙搬送方向下流側へ搬送され、搬送ローラ２にチャックされる。その後前記用紙Ｐは、ピックアップローラ９と搬送ローラ２とで協働しかつ同期して、その用紙搬送方向下流側の印字ヘッド１１およびプラテン１２へ搬送される。
【００２９】
印字ヘッド１１は、搬送された用紙Ｐに対して略直交方向に往復移動可能に構成される。本実施形態において、用語「略直交方向」は、「直交方向」を含む。印字ヘッド１１は、受信した画像データに基づいて駆動され、搬送ローラ２による用紙搬送方向つまり副走査方向への搬送駆動と協働して、用紙Ｐに画像が形成される。画像が形成された用紙Ｐは、これら印字ヘッド１１およびプラテン１２よりも用紙搬送方向下流側に配置される排出ローラ１３によって、印刷機能部５よりも用紙搬送方向下流側のバインド装置６へ搬送される。このとき排出ローラ１３と搬送ローラ２とは同期駆動される。
【００３０】
図２は、記録紙積載トレイ１４と第１および第２バインダ１５，１６との関係を表す詳細図であり、（ａ）は、記録紙積載トレイ１４を厚み方向に見た平面図、（ｂ）は、前記平面図を、用紙Ｐの厚み方向および搬送方向に直交する方向から見た端面図である。図３は、第１バインダ１５を用いて綴じ具１７によって綴じられた用紙Ｐの要部を示す斜視図である。シート綴じ手段としてのバインド装置６は、記録紙載置トレイ１４と、第１および第２バインダ１５，１６と、記録紙ゲート１８および電磁ソレノイド１９とを有する。記録紙載置トレイ１４は、ファクシミリ本体３の載置面に対し、用紙保持面を含む仮想平面がたとえば約３０度の傾斜角度となるように格納されている。前記傾斜角度は、用紙搬送方向に向かうに従ってＺ方向一方に向かう、いわゆる搬送方向下り傾斜状となっている。このように記録紙載置トレイ１４は、上述した傾斜角度となるようにファクシミリ本体３に格納されているので、記録紙載置トレイ１４には、記録済みの用紙Ｐが安定して積載される。
【００３１】
第１綴じ機構としての第１バインダ１５は、記録紙載置トレイ１４に積載された複数の用紙Ｐを綴じる機能を有する。また第２綴じ機構としての第２バインダ１６も、記録紙載置トレイ１４に積載された複数の用紙Ｐを綴じる機能を有する。これら第１および第２バインダ１５，１６は、記録紙載置トレイ１４の用紙搬送方向下流側付近部でかつ用紙幅方向の一側縁部付近部に配置される。しかも第１および第２バインダ１５，１６は、用紙搬送方向に所定小距離空けて併設され、第１バインダ１５は、第２バインダ１６よりも用紙搬送方向上流側に配置される。
【００３２】
前記第１バインダ１５は、図示外の電動作用で動作するバインダであって、シュレッダなどの裁断機によって、綴じ対象の用紙Ｐとともに裁断可能な綴じ具１７としての紙製の帯状部材１７を用いて、複数の用紙Ｐを綴じるように構成されている。換言すれば、第１バインダ１５は、図示外の綴じ具群から部分的に切断可能な帯状部材１７を用いて、複数の用紙Ｐを綴じる。第１バインダ１５は、前記帯状部材１７が複数の用紙Ｐに貫通しかつ巻き付けられて、複数の用紙Ｐを結縛する。すなわち第１バインダ１５は、図３に示すように、複数の用紙Ｐの一表面部Ｐｓ、厚み部分Ｐｔ、前記一表面部Ｐｓの背面側の一表面部Ｐｈ、および一側縁部Ｐｆにわたって、前記帯状部材１７が巻回されて結縛可能に構成される。この第１バインダ１５において、用紙Ｐを最大限綴じることができる最大綴じ枚数つまり綴じ枚数能力は、後述する第２バインダ１６に比べて高いが、消耗材である帯状部材１７を必要とする。
【００３３】
記録紙載置トレイ１４に積載された複数の用紙Ｐには、第１バインダ１５によって、用紙Ｐの厚み方向に貫通するスリット２０が形成される。第１バインダ１５によって、前記スリット２０に帯状部材１７の一部が挿通されたうえで、用紙Ｐの一表面部Ｐｓ側で帯状部材１７の一端部１７ａと他端部１７ｂとが重ね合わされて接着される。帯状部材１７の重ね合わされた端部同士は、一端部１７ａおよび他端部１７ｂの対向面部のうちの少なくともいずれか一方に、予め塗布される接着剤によって接合される。なお第１バインダ１５は、紙テープ式バインダとも呼ばれる。
【００３４】
前記第２バインダ１６は、図示外の電動作用で動作するバインダであって、複数の用紙Ｐ自体を部分的に加工することで、前記複数の用紙Ｐを綴じるように構成されている。すなわち第２バインダ１６は、綴じる対象となる複数の用紙Ｐ自体を鋭利な刃具で切り込んで、用紙Ｐの厚み方向一方へ押し出すかまたは用紙Ｐの厚み方向一方へ押し出してこの押し出し部分を屈曲することで、前記複数の用紙Ｐを結縛する。この第２バインダ１６において、用紙Ｐの最大綴じ枚数つまり綴じ枚数能力は、第１バインダ１５に比べて低いが、前記帯状部材１７のような消耗材が不要となる。この第２バインダ１６は、ステープラレスバインダとも呼ばれる。本実施形態のファクシミリ装置１は、以上説明した第１および第２バインダ１５，１６を、後述するように用紙Ｐの綴じ枚数に応じて使い分ける機能を有し、合理性と経済性とが達成される。
【００３５】
前記記録紙ゲート１８は、記録紙載置トレイ１４の用紙搬送方向下流側端部に設けられる。この記録紙ゲート１８は、記録紙載置トレイ１４の一表面部よりもＺ方向に所定高さ突出する用紙規制位置と、前記一表面部から退行する退避位置とにわたり、位置切換え可能に構成される。すなわち、記録紙ゲート１８は、排出ローラ１３の回転軸線と平行な回転軸１８ａを中心に、ゲート先端縁部１８ｂが回転可能に構成される。記録紙載置トレイ１４のうち、バインド装置６と反対側の用紙幅方向一側縁部付近には、電磁ソレノイド１９が用紙搬送方向に沿って設けられる。前記記録紙ゲート１８の一部は、この電磁ソレノイド１９のロッド１９ａに連結されている。
【００３６】
電磁ソレノイド１９の非駆動状態においては、記録紙ゲート１８は用紙規制位置に保持されている。電磁ソレノイド１９を駆動すると、記録紙ゲート１８は、その回転軸線まわりに回転されて退避位置に切換えられる。これによって用紙Ｐは、受信紙スタッカー７に滑落され蓄積される。排出部である受信紙スタッカー７は、図１に示すように、記録紙載置トレイ１４の用紙搬送方向下流側端部に配置される。受信紙スタッカー７の大部分は、たとえばファクシミリ本体３から露出するように設けられる。また受信紙スタッカー７は、ファクシミリ本体３の載置面に対し、用紙保持面を含む仮想平面がたとえば約３０度の傾斜角度となるように配設される。
【００３７】
図４は、ファクシミリ装置１の制御系のブロック図である。ファクシミリ装置１は、制御装置２１、ロム２２（ＲＯＭ：Ｒｅａｄ  Ｏｎｌｙ  Ｍｅｍｏｒｙ  ）およびメモリ装置２３と、網制御装置２４および画像用モデム２５と、画像読取装置２６、印刷装置１０およびバインド装置６と、入力装置２７と、表示装置２８とを有する。通信回線としての公衆回線網２９には、網制御装置２４が接続されている。網制御装置２４は、公衆回線網２９が要求する電気的諸特性を有し、回線の状態を監視するとともに、公衆回線網２９からの信号の受信と、公衆回線網２９への信号の送信を司る。画像用モデム２５は、画像のデジタル信号を公衆回線網２９に適したアナログ信号に変調するとともに、公衆回線網２９から受信したファクシミリのアナログ信号を復調する。
【００３８】
印刷装置１０は、公衆回線網２９から受信したファクシミリの画像信号および画像読取装置２６で読み取られた画像を印刷するユニットであって、たとえば公知のサーマル式、電子写真方式、インクジェット方式などが適用される。画像読取装置２６は、送信およびコピーのための原稿の読取装置であって、たとえば公知のレンズとＣＣＤラインセンサ（ＣＣＤ：Ｃｈａｒｇｅ  Ｃｏｕｐｌｅｄ  Ｄｅｖｉｃｅ）との組み合わせによる縮小光学系読取方式、ロッドレンズアレーを用いた密着センサ方式などが適用される。これら画像読取装置２６および印刷装置１０が、画像形成手段に相当する。
【００３９】
バインド装置６は、実際の複数の用紙Ｐを綴じる駆動機能部を含む第１および第２バインダ１５，１６と、綴じの作業に必要な用紙Ｐの搬送方向下流側端部を揃える制御、綴じ終えた用紙Ｐのブロックの制御をそれぞれ行う記録紙ゲート１８とで構成される。入力手段としての入力装置２７は、綴じ機能操作部３０と汎用操作部３１とで構成される。前記綴じ機能操作部３０は、バインド装置６の動作条件または動作の条件に特化した操作を行う。汎用操作部３１は、ファクシミリ装置１全体の操作としてのダイヤル用のキー操作およびその他の操作を行う。
【００４０】
制御装置２１は、主にプログラムが格納されているロム２２とメモリ装置２３とを用いて、入力装置２７の綴じ機能操作部３０または図示外のダイヤルボタンを含む汎用操作部３１からの入力情報、ファクシミリ装置１の各機能ユニット部の状態を示す情報、公衆回線網２９からの信号などの情報に基づいて、ファクシミリ装置１全体の動作を決定し、ファクシミリ装置１全体に指令を与え、さらに表示装置２８に表示の指令を出力する。
【００４１】
図５は、バインド装置６の動作を段階的に表すフローチャートである。ここでｓｉ（ｉ＝０，１，２，…）はステップを示す。ファクシミリ装置１の主電源をオンにすると、ステップ０においてこのフローがスタートする。ステップ１において、ファクシミリ装置１は、回線を開放して、交換端局からの着呼信号を受け入れ可能な待機状態になる。次にステップ２にて、交換端局から着呼信号が到来すると、ステップ３に移行して、発信者ＩＤ受信（ＩＤ：Ｉｄｅｎｔｉｆｉｃａｔｉｏｎ）およびそのＩＤ処理を行う。次にステップ４およびステップ５において、ファクシミリのＩＴＵ−Ｔ手順（ＩＴＵ−Ｔ：Ｉｎｔｅｒｎａｔｉｏｎａｌ  Ｔｅｌｅｃｏｍｍｕｎｉｃａｔｉｏｎ  Ｕｎｉｏｎ−Ｔｅｌｅｃｏｍｍｕｎｉｃａｔｉｏｎ  Ｓｔａｎｄａｒｄｉｚａｔｉｏｎ  Ｓｅｃｔｏｒ）のフェーズＡおよびフェーズＢの処理をそれぞれ実行する。前記フェーズＡは、「呼」の設定および回線確立のシーケンスである。前記フェーズＢは、前処理の過程で、端末、伝送路などの状態確認および端末制御のためのシーケンスである。
【００４２】
フェーズＡおよびフェーズＢの処理が正常に実行されると、ステップ６に移行して、いわゆるフェーズＣに該当する画像データの受信とその印刷出力が、上述した印刷装置１０で実行される。この受信と印刷のプロセス中には、ファクシミリのデータの終了を示す“メッセージ終了信号”の到来および印刷されたページ数を監視している。その監視のなかで、ステップ７に示すように、受信のページ数“Ｐｚ”が、最大綴じ枚数であって、用紙Ｐを綴じる第１バインダ１５の最大綴じ枚数“Ｍａｘ（Ａ）”に等しいか否かが判定される。
【００４３】
ステップ７において、受信のページ数“Ｐｚ”が前記最大綴じ枚数“Ｍａｘ（Ａ）”に等しいと判定されると、ステップ１１ａに移行する。このステップ１１ａにおいて、第１バインダ１５を駆動させ、記録紙載置トレイ１４に積載された用紙Ｐが前記第１バインダ１５によって綴じられる。次に、ステップ１２に移行し、記録紙ゲート１８を所定の時間、退避位置に切換える。すなわち電磁ソレノイド９を駆動し、記録紙ゲート１８をその回転軸線まわりに回転させて退避位置に切換える。その結果、綴じられた用紙Ｐは、記録紙載置トレイ１４および受信紙スタッカー７の傾斜角度と、用紙Ｐの自重作用とによって滑落し、最終的にはステップ１３において受信紙スタッカー７に積載される。
【００４４】
ステップ６の後、ステップ８において終了信号が受信された場合には、ファクシミリ通信の一つの単位は、終了したとみなし、綴じに対する判定および処理に移行する。すなわちステップ９において、受信したページ数が、第２バインダ１６の最大綴じ枚数“Ｍａｘ（Ｂ）”を超えているか否かが判定される。前記ステップ９において、受信したページ数は第２バインダ１６の最大綴じ枚数“Ｍａｘ（Ｂ）”を超えていると判定されると、ステップ１１ａに移行する。このステップ１１ａで、綴じ能力の高い第１バインダ１５で綴じ処理すべく、第１バインダ１５を駆動し、複数の用紙Ｐが綴じられる。
【００４５】
ステップ９で、受信したページ数が第２バインダ１６の最大綴じ枚数を超えていないと判定されると、ステップ１０に移行する。このステップ１０では、受信したファクシミリの枚数つまりページ数が１枚か否か、すなわち用紙Ｐを綴じる必要があるか否かが判定される。前記ステップ１０において、受信したページ数が「１枚ではない」と判定されると、ステップ１１ｂに移行する。このステップ１１ｂで、第２バインダ１６で綴じ処理すべく、第２バインダ１６を駆動し、複数の用紙Ｐが綴じられる。ステップ１０において、受信したページ数が「１枚である」と判定されると、ステップ１１ｃに移行する。ステップ１１ｃでバインド駆動を禁止したうえで、ステップ１２に移行する。
【００４６】
ステップ１１ｂ，１１ｃのいずれの場合でも、それに続くステップは、ステップ１１ａの場合と同様に順次、ステップ１２、１３である。ステップ７において、受信のページ数“Ｐｚ”は最大綴じ枚数“Ｍａｘ（Ａ）”と等しくないと判定されると、ステップ６に戻る。ステップ８で終了信号が受信されていないと判定されると、ステップ６に戻る。その他のステップについては、ファクシミリ通信での公知の技術であるので説明を省略する。
【００４７】
図６は、図５のフローチャートを部分的に変更した変更形態に係るフローチャートである。ここで、ｓｉ（ｉ＝２０，２１，２２，…）はステップを示す。ここでステップ２０からステップ２８は、図５におけるステップ０からステップ８の各々に対応する。図６のステップ３０からステップ３３は、図５におけるステップ１０からステップ１３の各々に対応し、対応する図５のステップと同じ動作、作用を実行する。特に図５のステップと異なる作用を奏するステップを重点的に説明すると、ステップ２７において受信のページ数“Ｐｚ”が最大綴じ枚数“Ｍａｘ（Ａ）”に等しいと判定された場合、または、ステップ３０において受信したページ数が「１枚ではない」換言すれば「綴じ」が必要であると判定された場合、ステップ４０に移行する。
【００４８】
ステップ４０において、ステップ２３で受信した発信者ＩＤまたはステップ２５のＩＴＵ−ＴのフェーズＢで獲得したティーエスアイ（ＴＳＩ：ＴｒａｎｓｍｉｔｔｉｎｇＳｕｂｓｃｒｉｂｅｒ  Ｉｄｅｎｔｉｆｉｃａｔｉｏｎ）を、予め発信者毎にバインドの部位すなわち綴じ位置を定めた設定テーブルに参照させる。次にステップ４１に移行して、第１バインダ１５で“綴じ”を実行するか、第２バインダ１６で“綴じ”を実行するかを決定する。具体的にステップ４１において、第１バインダ１５で“綴じ”を実行すると決定されると、ステップ３１ａに移行する。ステップ４１において、第４２バインダ１６で“綴じ”を実行すると決定されると、ステップ３１ｂに移行する。このことによって、発信者毎に異なる綴じ位置によって、発信者が自動的にグループ分けされる。したがって用紙Ｐの綴じ位置を確認するだけで、その用紙Ｐの発信者を迅速かつ容易に特定することができる。
【００４９】
図７は、発信者ＩＤと、発信者ＩＤに対応して設定されたバインダとの関係を表す図表である。ここで第１バインダ１５は「Ａ」で表され、第２バインダ１６は「Ｂ」で表されている。図７に示すように、前述の各発信者ＩＤである発信者の電話番号に対して、第１バインダ１５を使用するか第２バインダ１６を使用するかが、操作者としてのユーザによって設定されている。この図７に示す図表は、図６のステップ４０およびステップ４１において参照される。
【００５０】
図８は、バインダと、バインダ毎に設定された最大綴じ枚数との関係を表す図表である。前記図表には、ユーザによって設定される第１および第２バインダ１５，１６のそれぞれの最大綴じ枚数が示されている。これら最大綴じ枚数は、各バインダすなわち第１および第２バインダ１５，１６の綴じ能力およびユーザが使用する用紙Ｐの質を配慮したうえで設定される。前記用紙Ｐの質とは、たとえば４５Ｋｇ紙、７５Ｋｇ紙などの用紙Ｐの秤量に相当する。第１バインダ１５は、上述したように綴じ能力が高いこともあり、その最大綴じ枚数は、ユーザによってたとえば１０枚に設定される。第２バインダ１６の最大綴じ枚数は、その綴じ能力とユーザが受信するファクシミリの平均枚数などから、ユーザによってたとえば５枚に設定される。この図８の図表は、図５のステップ７，ステップ９およびステップ１０において参照される。
【００５１】
図９は、ファクシミリ装置１のバインド装置６で綴じられた用紙Ｐの一例を示す図である。図１０は、ファクシミリ装置１のバインド装置６で綴じられた用紙Ｐの別の一例を示す図である。図９の一例は、一つのファクシミリ通信が合計２４頁でなされた例である。合計２４頁の用紙Ｐのうち、第１頁以上第１０頁以下Ｐ１および第１１頁以上第２０頁以下Ｐ２の各１０枚は、第１バインダ１５の帯状部材１７によって綴じられている。前記合計２４頁の用紙Ｐのうち、第２１頁以上第２４頁以下Ｐ３の４枚は、第２バインダ１６によって綴じられている。
【００５２】
また図１０の一例は、図７で示された５人の発信者からのファクシミリが、発信者別にグループ分けされたうえで、発信者毎に異なる用紙Ｐの綴じ位置Ｔ１〜Ｔ５に、綴じられている。したがって発信者の識別結果つまり図７の対応関係に基づいて、発信者毎に異なる綴じ位置Ｔ１〜Ｔ５であって、第１および第２バインダ１５，１６のうちのいずれか１つの綴じ位置が選択される。綴じた用紙Ｐは、その綴じ位置Ｔ１〜Ｔ５によって発信者を特定することができるので、綴じた用紙Ｐを、容易に分配することができる。したがって用紙Ｐの分配、整理および分配作業を簡単化することができる。前記制御装置２１、ロム２２、図５のステップ７，８，９，１０および図６のステップ２７，２８，２９，３０，４１が選択手段に相当する。制御装置２１、ロム２２、図６のステップ４０，４１および図７が識別手段に相当する。
【００５３】
以上説明したファクシミリ装置１によれば、公衆回線網２９からの信号に基づいて、用紙Ｐには画像読取装置２６および印刷装置１０によって画像が形成される。画像が形成された用紙Ｐは、裁断可能な紙製の帯状部材１７を用いて綴じる第１バインダ１５および綴じ具を使用しない第２バインダ１６のうちのいずれか１つでもって綴じることができる。したがって受信される用紙Ｐを、人手を煩わすことなく通信毎に綴じることができる。しかも綴じた用紙Ｐを、シュレッダなどの裁断機を用いて裁断処理するか、または廃品処理する場合には、前記公報に記載の従来の技術のように、針金状のステープルを用紙から取り外すことなく、裁断処理または廃品処理することができる。つまり、ファクシミリ装置１で綴じられた用紙Ｐに関しては、針金状のステープルを用紙Ｐから取り外す手間が不要となる。したがって綴じた用紙Ｐを、簡単に裁断処理または廃品処理することができる。
【００５４】
第１バインダ１５では、帯状部材１７が複数の用紙Ｐに貫通しかつ巻き付けられて、前記複数の用紙Ｐは結縛される。針金状のステープルではなく、特に、紙製の帯状部材１７で用紙Ｐが結縛されるので、裁断機を用いて前記裁断機を破損することなく、綴じた用紙Ｐを確実に裁断処理することができる。しかもこの第１バインダ１５で綴じた用紙Ｐを簡単に廃品処理することができる。
【００５５】
第２バインダ１６では、複数の用紙Ｐは、刃具によって部分的に切り込まれて用紙Ｐの厚み方向一方へ変形されて結縛される。針金状のステープルを用いることなく、上述したように複数の用紙Ｐが結縛されるので、裁断機を用いて前記裁断機を破損することなく、綴じた用紙Ｐを確実に裁断処理することができる。しかもこの第２バインダ１６で綴じた用紙Ｐを簡単に廃品処理することができる。また前記選択手段によって、第１および第２バインダ１５，１６のうちのいずれか１つを選択的に用いることができる。したがって選択手段によって、最適なバインダを選択することが可能となる。
【００５６】
ユーザを識別する前記識別手段による識別結果に基づいて、ユーザ毎に対応する第１および第２バインダ１５，１６のうちの少なくともいずれか１つが選択される。これによって、綴じた用紙Ｐの綴じ部分によってユーザを特定することが可能となる。したがって用紙Ｐの分別、整理および分配作業を簡単化することができる。バインダ装置６は、公衆回線網２９からの各情報の通信終了信号を受けて動作される。前記通信終了信号を受けない場合においても、情報量が予め設定される最大綴じ枚数に達すると、前記バインド装置６は動作される。換言すれば、前記通信終了信号を受ける前に、上述したように最大綴じ枚数に達すると、バインド装置６を動作させることができる。したがってバインド装置６を確実に動作させることができる。
【００５７】
本発明の実施の他の形態として、第１バインダは、第２バインダよりも用紙搬送方向下流側に配置されてもよい。第１バインダにおいて、裁断可能な綴じ具は、必ずしも紙製の帯状部材に限定されるものではない。バインド装置には、複数の第１バインダが設けられてもよく、複数の第２バインダが設けられてもよい。その他、前記実施形態に、特許請求の範囲を逸脱しない範囲において種々の部分的変更を行う場合もある。
【００５８】
【発明の効果】
以上のように本発明によれば、通信回線からの信号に基づいて、記録シートには画像形成手段によって画像が形成される。画像が形成された記録シートは、綴じ具群から部分的に裁断可能な綴じ具を用いて複数の記録シートを綴じる第１綴じ機構および、複数の記録シート自体を部分的に加工することで、前記複数の記録シートを綴じる第２綴じ機構のうちの、いずれか１つでもって綴じることができる。したがって受信される記録シートを、人手を煩わすことなく通信毎に綴じることができる。しかも綴じた記録シートを、シュレッダなどの裁断機を用いて裁断処理するか、または廃品処理する場合には、前記公報に記載の従来の技術のように、針金状のステープルを記録シートから取り外すことなく、裁断処理または廃品処理することができる。つまり、針金状のステープルを記録シートから取り外す手間が不要となる。したがって綴じた記録シートを、簡単に裁断処理または廃品処理することができる。
【００５９】
また本発明によれば、針金状のステープルではなく、特に、紙製の帯状部材で記録シートが結縛されるので、裁断機を用いて前記裁断機を破損することなく、綴じた記録シートを確実に裁断処理することができる。しかも第１綴じ機構で綴じた記録シートを簡単に廃品処理することができる。
【００６０】
また本発明によれば、複数の記録シートは、刃具によって部分的に切り込まれて記録シートの厚み方向一方へ変形されて結縛される。針金状のステープルを用いることなく、上述したように複数の記録シートが結縛されるので、裁断機を用いて前記裁断機を破損することなく、綴じた記録シートを確実に裁断処理することができる。しかも第２綴じ機構で綴じた記録シートを簡単に廃品処理することができる。
【００６１】
また本発明によれば、通信手段によって、第１および第２綴じ機構のうちの少なくともいずれか１つを選択的に用いることができる。したがって選択手段によって、最適な綴じ機構を選択することが可能となる。
【００６２】
また本発明によれば、発信者を識別する識別手段による識別結果に基づいて、発信者毎に対応する第１および第２綴じ機構のうちの少なくともいずれか１つが選択される。これによって、綴じた記録シートの綴じ部分によって、発信者を特定することが可能となる。それ故、綴じた記録シートを容易に分配することができる。したがって記録シートの分別、整理および分配作業を簡単化することができる。
【００６３】
また本発明によれば、発信者を識別する識別手段による識別結果に基づいて、発信者毎に異なる記録シートの綴じ位置が選択される。綴じた記録シートは、その綴じ位置によって発信者を特定することができる。それ故、綴じた記録シートを容易に分配することができる。したがって記録シートの分配、整理および分配作業を簡単化することができる。
【００６４】
また本発明によれば、シート綴じ手段は、通信回線からの各情報の通信終了信号を受けて動作される。前記通信終了信号を受けない場合においても、通信回線を介して受信した情報量が予め設定される最大綴じ枚数に達すると、前記シート綴じ手段は動作される。換言すれば、シート綴じ手段が前記通信終了信号を受ける前に、上述したように最大綴じ枚数に達すると、シート綴じ手段を動作させることができる。したがってシート綴じ手段を確実に動作させることができる。
【００６５】
また本発明によれば、記録シートの最大綴じ枚数を入力設定する入力手段は、操作者によって設定される。操作者は、たとえば記録シートの秤量などに応じて最大綴じ枚数を設定することができる。
【図面の簡単な説明】
【図１】本発明の実施形態に係るファクシミリ装置１を、搬送ローラ２の軸線方向に垂直な仮想平面で切断して見た要部の断面図である。
【図２】記録紙積載トレイ１４と第１および第２バインダ１５，１６との関係を表す詳細図であり、（ａ）は、記録紙積載トレイ１４を厚み方向に見た平面図、（ｂ）は、前記平面図を、用紙Ｐの厚み方向および搬送方向に直交する方向から見た端面図である。
【図３】第１バインダ１５を用いて綴じ具１７によって綴じられた用紙Ｐの要部を示す斜視図である。
【図４】ファクシミリ装置１の制御系のブロック図である。
【図５】バインド装置６の動作を段階的に表すフローチャートである。
【図６】図５のフローチャートを部分的に変更した変更形態に係るフローチャートである。
【図７】
発信者ＩＤと、発信者ＩＤに対応して設定されたバインダとの関係を表す図表である。
【図８】バインダと、バインダ毎に設定された最大綴じ枚数との関係を表す図表である。
【図９】ファクシミリ装置１のバインド装置６で綴じられた用紙の一例を示す図である。
【図１０】ファクシミリ装置１のバインド装置６で綴じられた用紙の別の一例を示す図である。
【符号の説明】
１  ファクシミリ装置
６  バインド装置
１０  印刷装置
１５  第１バインダ
１６  第２バインダ
１７  帯状部材
２１  制御装置
２２  ロム
２６  画像読取装置
２７  入力装置
【図１】
2004193800.tif 000003
【図２】
2004193800.tif 000004
【図３】
2004193800.tif 000005
【図４】
2004193800.tif 000006
【図５】
2004193800.tif 000007
【図６】
2004193800.tif 000008
【図７】
2004193800.tif 000009
【図８】
2004193800.tif 000010
【図９】
2004193800.tif 000011
【図１０】
2004193800.tif 000012